(57)【特許請求の範囲】
【請求項１】
浴槽が載置される浴槽パンの浴槽載置面に、浴槽から流れ出る排水を通すパイプ部材が挿通されると共に、上記の浴槽パンの裏側に、浴槽パンからの排水を受ける浴槽パントラップが取り付けられ、浴槽と浴槽パンからの排水を、洗い場パンからの排水を受ける洗い場パントラップに流すため、上記のパイプ部材と上記の浴槽パントラップとが、排水管で上記の洗い場パントラップに接続されている浴室ユニットの排水構造であって、上記の排水管が、浴槽からの排水を流通させる浴槽用排水管と、浴槽パンからの排水を流通させる浴槽パン用排水管とで形成され、浴槽からの排水が上記の浴槽用排水管に管状の流通路を介して導かれ、浴槽の排水口と上記のパイプ部材の流入口とが接続され、上記のパイプ部材の流出口と上記の管状の流通路の流入口とが接続されると共に、上記の浴槽パントラップ内に上記の浴槽パン用排水管の一端が開口され、また上記の浴槽用排水管と浴槽パン用排水管が、排水の逆流を防止するための逆止弁を備え、このうち浴槽パン用排水管の逆止弁は、洗い場パントラップ内に開口する排水流出口に設けられていることを特徴とする浴室ユニットの排水構造。
【請求項２】
請求項１記載の浴室ユニットの排水構造であって、浴槽用排水管が、浴槽パントラップと洗い場パントラップとに直線状に接続されていることを特徴とする浴室ユニットの排水構造。
【請求項３】
請求項１記載の浴室ユニットの排水構造であって、浴槽用排水管と浴槽パン用排水管が、浴槽パントラップと洗い場パントラップの横幅の範囲内で横に並べられて配管されていることを特徴とする浴室ユニットの排水構造。
【請求項４】
請求項１乃至３の何れかに記載の浴室ユニットの排水構造であって、洗い場パントラップ内に、浴槽用排水管の排水流出口と、浴槽パン用排水管の排水流出口が夫々上面開口状に形成され、逆止弁が、この各排水流出口に設けられていることを特徴とする浴室ユニットの排水構造。
【請求項５】
請求項１乃至３の何れかに記載の浴室ユニットの排水構造であって、洗い場パントラップ内に、浴槽用排水管の排水流出口が上面開口状に形成されると共に、浴槽パン用排水管の排水流出口が側面開口状に形成され、逆止弁が、この各排水流出口に設けられていることを特徴とする浴室ユニットの排水構造。
【発明の詳細な説明】
【技術分野】
【０００１】
本発明は、浴室ユニットの排水構造に関し、更に詳しくは浴槽や浴槽載置用の浴槽パン及び洗い場パン等で構成される浴室ユニットにおいて、浴槽からの排水が浴槽パンに逆流することを防止できるよう形成した浴室ユニットの排水構造に関するものである。
【背景技術】
【０００２】
従来この種の排水構造としては、例えば浴槽パンの裏側に、浴槽から流れ出る排水と、浴槽パンからの排水を流れ込ませる浴槽パントラップを取り付け、浴槽と浴槽パンからの排水を、洗い場パンからの排水を受ける洗い場パントラップに流すため、浴槽パントラップと洗い場パントラップとを排水管で接続しているものがある（例えば特許文献１等参照）。
【特許文献１】特開２００１−１０７４１２号公報
【発明の開示】
【発明が解決しようとする課題】
【０００３】
ところで浴槽から例えば残り湯を排水する場合は、大量の湯が一時に排水されるため、浴槽パントラップから湯が溢れ出し浴槽パンを濡らしたり、浴槽パントラップにプールされて排水に時間がかかったり、又髪の毛などのゴミで浴槽パントラップの目皿等が目詰まりを起こすことがある。
従って浴室ユニットの排水構造は、浴槽からの排水によるこの種の弊害を防止できるよう形成されているのが望ましい。
【０００４】
しかるに従来のこの種の排水構造は、上記の通り、浴槽と浴槽パンからの排水を、一旦、浴槽パントラップに流れ込ませてから、排水管を介して洗い場パントラップに排水させているのが通例であった。
従って従来のこの種の排水構造によると、浴槽から大量の残り湯が排水されると、浴槽パントラップから溢れ出て浴槽パンを濡らしたり、浴槽パントラップに排水が一時的に滞留して排水に時間がかかったり、又排水中に含まれる髪の毛などのゴミで浴槽パントラップの目皿を目詰まりさせる、という問題点があった。
【０００５】
本発明は、このような従来構造の問題点に鑑み、提案されたものである。
従って本発明の技術的課題は、浴槽からの排水が浴槽パンへ逆流することを防止し、浴槽パンを常にドライに維持できるようにし、又浴槽パントラップに排水が一時的に滞留することを防止し、浴槽からの排水を迅速に処理できるようにすると共に、排水中に含まれる髪の毛などのゴミで浴槽パントラップの目皿が目詰まりすることがないよう形成した浴室ユニットの排水構造を提供することにある。
【課題を解決するための手段】
【０００６】
本発明は、上記の課題を解決するために、次のような技術的手段を採る。
【０００７】
即ち本発明は、図１等に示されるように、浴槽１が載置される浴槽パン２の浴槽載置面に、浴槽１から流れ出る排水を通すパイプ部材８が挿通されると共に、上記の浴槽パン２の裏側に、浴槽パン２からの排水を受ける浴槽パントラップ３が取り付けられ、浴槽１と浴槽パン２からの排水を、洗い場パン４からの排水を受ける洗い場パントラップ５に流すため、上記のパイプ部材８と上記の浴槽パントラップ３とが、排水管６で上記の洗い場パントラップ５に接続されている浴室ユニットの排水構造であって、上記の排水管６が、浴槽１からの排水を流通させる浴槽用排水管６１と、浴槽パン２からの排水を流通させる浴槽パン用排水管６２とで形成され、浴槽１からの排水が上記の浴槽用排水管６１に管状の流通路７を介して導かれ、浴槽１の排水口１ａと上記のパイプ部材８の流入口とが接続され、上記のパイプ部材８の流出口と上記の管状の流通路７の流入口７ａとが接続されると共に、上記の浴槽パントラップ３内に上記の浴槽パン用排水管６２の一端６２ａが開口され、また上記の浴槽用排水管６１と浴槽パン用排水管６２が、排水の逆流を防止するための逆止弁１０を備え、このうち浴槽パン用排水管６２の逆止弁１０は、洗い場パントラップ５内に開口する排水流出口６２ｂに設けられていることを特徴とする（請求項１）。
【０００８】
本発明の場合、上記の流通路７は、例えばエルボ状の管や、浴槽用排水管６１の一端が浴槽パントラップ３内に延長されることで形成される。浴槽用排水管６１と浴槽パン用排水管６２は、浴槽パン２の下側の高さを低くできるよう、通常、浴槽パントラップ３及び洗い場パントラップ５の側面に接続される。
【０００９】
又本発明は、図１Ｂ等に示されるように、浴槽用排水管６１が、浴槽パントラップ３と洗い場パントラップ５とに直線状に接続されているのが好ましい（請求項２）。
【００１０】
なぜならこの場合は、浴槽１から流れ出る大量の排水を、浴槽用排水管６１を介して迅速且つ円滑に洗い場パントラップ５に流すことができるからである。なおこの場合、浴槽用排水管６１の径を、例えば浴槽パン用排水管６２の径より大きく選定すると、一層、排水の迅速化を促進できる。
【００１１】
又本発明は、図４等に示されるように、浴槽用排水管６１と浴槽パン用排水管６２が、浴槽パントラップ３と洗い場パントラップ５の横幅Ｗの範囲内で横に並べられて配管されているのが良い（請求項３）。
【００１２】
なぜならこの場合は、浴槽用排水管６１と浴槽パン用排水管６２の配管スペースが、浴槽パントラップ３や洗い場パントラップ５の横幅Ｗの範囲内で納まり、配管スペースを狭小化できるからである。
【００１３】
又本発明は、図４〜図６に示されるように、洗い場パントラップ５内に、浴槽用排水管６１の排水流出口６１ａと、浴槽パン用排水管６２の排水流出口６２ｂが夫々上面開口状に形成され、逆止弁１０が、この各排水流出口６１ａ、６２ｂに設けられているのが良い（請求項４）。
【００１４】
この場合は、逆止弁１０が上からの水圧を受けるため、排水流出口６１ａ、６２ｂを確実に閉塞でき、又浴槽１からの排水が洗い場パントラップ５に流れ込む際は、浴槽パン用排水管６２への逆流を確実に防止できるからである。
【００１５】
又本発明は、図７に示されるように、洗い場パントラップ５内に、浴槽用排水管６１の排水流出口６１ａが上面開口状に形成されると共に、浴槽パン用排水管６２の排水流出口６２ｂが側面開口状に形成され、逆止弁１０が、この各排水流出口６１ａ、６２ｂに設けられているのでも良い（請求項５）。
【００１６】
これによると排水流出口６１ａの逆止弁１０は、上からの水圧を受けるため浴槽用排水管６１への逆流を確実に防止でき、一方、浴槽パン用排水管６２の排水流出口６２ｂの逆止弁１０は垂れ下げられるから、浴槽パン用排水管６２を介して流れる浴槽パン２からの排水を、洗い場パントラップ５へ流れ込み易くさせることができる。
【発明の効果】
【００１７】
以上説明したように本発明の場合は、浴槽用排水管と浴槽パン用排水管が、排水の逆流を防止するための逆止弁を備え、浴槽からの排水を、パイプ部材、管状の流通路、浴槽用排水管を介して洗い場パントラップに直接排水できる。従ってこれによれば、浴槽パンへ排水が逆流することを防止でき、浴槽パンを常にドライに維持できる。
【００１８】
又本発明は、浴槽から大量の残り湯が排水されても、浴槽パントラップに排水が一時的に滞留することがない。従って本発明を使用すれば、排水の流れがスムーズになり、短時間で排水できるだけではなく、排水中に含まれる髪の毛などで浴槽パントラップの目皿を目詰まりさせることがない。
【発明を実施するための最良の形態】
【００１９】
以下、本発明の好適な一実施形態を添付図面に従って説明する。
【００２０】
本発明は、図１等に示されるように、浴槽１が載置される浴槽パン２の裏側に、浴槽１から流れ出る排水を通すと共に、浴槽パン２からの排水を受ける浴槽パントラップ３が取り付けられている。浴槽パントラップ３は、図３等に示されるように、目皿３ａが目皿受け３ｂを介して開口面に取り付けられている。
【００２１】
又４は洗い場パンであり、５はこの洗い場パン４から排水を受ける洗い場パントラップである。浴槽１から流れ出る排水を通すパイプ部材８と、上記の浴槽パントラップ３は、浴槽１と浴槽パン２からの排水を洗い場パントラップ５に流すため、洗い場パントラップ５に排水管６で接続されている。５ａ（図３参照）は排水筒であり、５ｂはこの排水筒５ａを受ける受け部材である。又５ｃは、洗い場パントラップ５から、排水を下水管渠に流すための排水パイプである。
【００２２】
上記の排水管６は、浴槽１からの排水を流通させる浴槽用排水管６１と、浴槽パン２からの排水を流通させる浴槽パン用排水管６２とで形成されている。７は、浴槽１からの排水を浴槽用排水管６１に導く流通路である。この流通路７は、この実施形態ではエルボ状の管で形成され、上記の浴槽パントラップ３内に、流入口７ａが浴槽パントラップ３の中心に配置され、流出口７ｂが側面から突き出された状態で形成されている。浴槽用排水管６１の一端は、この流通路７としての管の流出口７ｂに接続されている。又流通路７としての管の流入口７ａには、浴槽１からの排水を流通路７に導くためのパイプ部材８の下端８ａが差し込まれている。なお９は、浴槽１の排水口１ａを開閉する栓である。
【００２３】
又上記の浴槽用排水管６１は、この実施形態の場合、図１Ｂ等に示されるように、浴槽パントラップ３と洗い場パントラップ５の直径線上において、直線状に接続されている。又上記の浴槽パン用排水管６２の一端６２ａは、浴槽パントラップ３内に開口されている。そしてこの浴槽パン用排水管６２は、浴槽パントラップ３と洗い場パントラップ５に、浴槽用排水管６１の接続位置から９０度ずらされて平面視でコの字形に接続されている。
【００２４】
又１０（図１Ａ等参照）は、洗い場パントラップ５から浴槽用排水管６１及び浴槽パン用排水管６２へ排水が逆流することを防止するための逆止弁である。この実施形態では、図１、図３に示されるように、浴槽用排水管６１の排水流出口６１ａと、浴槽パン用排水管６２の排水流出口６２ｂは、洗い場パントラップ５内に、側面開口状に形成され、各排水流出口６１ａ、６２ｂに逆止弁１０が垂れ下げられて設けられている。
【００２５】
次に本発明の作用を説明する。
浴槽１の排水口１ａの栓９が抜かれると、浴槽１からの排水が、パイプ部材８、流通路７、浴槽用排水管６１を経由して洗い場パントラップ５に流れ込み、排水パイプ５ｃを介して排水される。この場合、洗い場パントラップ５内に開口されている浴槽パン用排水管６２の排水流出口６２ｂは逆止弁１０で塞がれ、浴槽１からの排水が、浴槽パン用排水管６２内に逆流することはない。
又浴槽パン２からの排水は、図２に示されるように、目皿３ａを介して浴槽パントラップ３に流れ込み、浴槽パン用排水管６２から洗い場パントラップ５に流れ込み排水される。
【００２６】
以上の処において、上記の浴槽用排水管６１と浴槽パン用排水管６２の配管形態は、図４等に示されるように、浴槽パントラップ３と洗い場パントラップ５の横幅Ｗの範囲内で横に並べられて配管されているのでも良い。この実施形態の場合、浴槽パントラップ３と洗い場パントラップ５の対向側面３１、５１は、垂直面状に形成され、この対向側面３１、５１の左右側に浴槽用排水管６１と浴槽パン用排水管６２が平行状に接続されている。
【００２７】
又上例では、浴槽用排水管６１の排水流出口６１ａと浴槽パン用排水管６２の排水流出口６２ｂが、共に側面開口状に形成されているが、本発明はこれに限定されるものではない。即ち本発明は、図４〜図６に示されるように、洗い場パントラップ５内に、浴槽用排水管６１の排水流出口６１ａと、浴槽パン用排水管６２の排水流出口６２ｂが夫々上面開口状に形成され、この各排水流出口６１ａ、６２ｂに、排水の逆流を防止するための逆止弁１０が設けられているのでも良い。
【００２８】
又本発明は、図７に示されるように、洗い場パントラップ５内に、浴槽用排水管６１の排水流出口６１ａが上面開口状に形成されると共に、浴槽パン用排水管６２の排水流出口６２ｂが側面開口状に形成され、この各排水流出口６１ａ、６２ｂに排水の逆流を防止するための逆止弁１０が設けられているのでも良い。
【図面の簡単な説明】
【００２９】
【図１】本発明の排水構造の好適な一実施形態を示し、ＡはＢのＡ―Ａ線における要部断面図、Ｂは要部平面図である。
【図２】本発明構造の要部斜視図である。
【図３】本発明構造の要部分解斜視図である。
【図４】本発明構造の他の実施形態を示す要部平面図である。
【図５】図４のＶ―Ｖ線における要部断面図である。
【図６】図４の実施形態の要部分解斜視図である。
【図７】本発明構造の更に他の実施形態を示す要部斜視図である。
【符号の説明】
【００３０】
１    浴槽
１ａ 排水口
２    浴槽パン
３    浴槽パントラップ
４    洗い場パン
５    洗い場パントラップ
６    排水管
６１  浴槽用排水管
６２  浴槽パン用排水管
６２ａ  一端
６２ｂ 排水流出口
７    流通路
７ａ 流入口
８ パイプ部材
１０ 逆止弁
【図１】
0004442629.tif 000002
【図２】
0004442629.tif 000003
【図３】
0004442629.tif 000004
【図４】
0004442629.tif 000005
【図５】
0004442629.tif 000006
【図６】
0004442629.tif 000007
【図７】
0004442629.tif 000008